(57)【要約】【課題】例えば、マスカラ等の液体化粧料を、塗布体により任意の回転方向並びに回転速度及び量で回転させ、目的に応じて、必要な量だけ正確に塗布できるようにする。【解決手段】液体化粧料容器１を構成する蓋体７に固持される塗布体８を回転機構１２により回転自在とするものであって、該回転機構１２を、先端に塗布体８を具える保持棒９を固持しながら、その側面１３’に前方へ向かい巻回するように左巻きに螺旋溝１４を刻設してなる回転筒１３に、釦部１８と一体となる摺動筒１５の内周面１６に内径方向に突設する突起体１７を遊嵌してなるものとするので、該釦部の前後方向への摺動速度及び距離に応じて回転筒が左右何れにも回転し、該回転筒に固持される保持棒の先端に具えられる塗布体は、任意の方向に任意の速度及び量で回転自在となり、目的に応じて、マスカラを必要な量だけ正確に塗布することができる。【選択図】図２
2008043526.tif 000002
【特許請求の範囲】
【請求項１】
マスカラなどの液体化粧料を貯留する塗布容器本体と、該塗布容器本体に対して着脱自在に装着されるとともに、内装する運動変換機構を介して先端に塗布体を具える保持棒を固持する蓋体よりなり、
蓋体に内装する該運動変換機構は、蓋体側面において蓋体より突出するとともに、該蓋体の軸方向に摺動自在となる釦部と、前記保持棒を一体に固持してなる回転機構とからなり、
該釦部の蓋体軸方向への摺動運動を、回転機構の、その固持する保持棒の軸を中心とする回転運動に変換するとともに、その釦部の摺動方向並びに速度及び量と回転機構の回転運動方向並びに速度及び量とが対応関係を有してなることを特徴とする
液体化粧料塗布容器。
【請求項２】
蓋体に内装する該運動変換機構は、回転筒と摺動筒から構成される回転機構並びに前記釦部よりなり、該回転筒は蓋体内において蓋体の軸方向に回転自在に保持されるとともに、先端に塗布体を具える保持棒を固持しながら、その側面に巻回するように螺旋溝を刻設してなり、摺動筒は釦部と一体となって蓋体の軸方向に摺動自在となるとともに、その内周面に蓋体の内径方向に突設する単数又は複数の突起体を有してなり、
該蓋体内において、回転筒を摺動筒内に挿嵌するとともに、該回転筒の側面の螺旋溝に対して、摺動筒内周面の突起体を遊嵌してなることを特徴とする請求項１記載の液体化粧料塗布容器。
【請求項３】
蓋体に内装する該運動変換機構は、それぞれ互いに噛合する、保持棒の先端に具える塗布体側に配置される一対のベベルギア、中間に配置されるピニオンギア、及び保持棒の先端に具える塗布体の反対側に配置され蓋体の軸方向に摺動自在となるラックギアから構成される回転機構並びに前記釦部よりなり、
一対のベベルギアの内、最前側のベベルギアは先端に塗布体を具える保持棒に軸着され、又、ラックギアは釦部と一体となり、
釦部の蓋体軸方向への摺動に伴うラックギアの摺動は、それと噛合するピニオンギアに伝達されてビニオンギアを回転させ、該ピニオンギアの回転は一対のベベルギアを介することによってその回転軸を９０度回転させて前記保持棒を回転させることを特徴とする請求項１記載の液体化粧料塗布容器。
【請求項４】
上記塗布体を、フロッキーチップ、溝体又は溝体と櫛との複合体としてなることを特徴とする請求項１乃至３記載の液体化粧料塗布容器。
【発明の詳細な説明】
【技術分野】
【０００１】
本願発明は、例えばマスカラなどの液体化粧料を塗布する際に使用する塗布体を具える液体化粧料塗布容器に関するものである。
【背景技術】
【０００２】
従来、例えばマスカラなどの液体化粧料塗布容器において、塗布に際して使用される塗布体は、蓋体において一体に固持される軸体の先端に具えられるものであって、該塗布体を睫毛に密着させつつ手動により蓋体自体とともに回転させ、睫毛の形状に合わせてマスカラを均一に塗布するものである。
【０００３】
しかしながら、例えば睫毛に対してマスカラを均一に塗布するため、塗布体を睫毛に密着させつつ手動により塗布体を回転させることは、塗布体の回転にムラが生じ易くマスカラを均一に塗布できないことがある。また、睫毛と目蓋とは非常に近接しているので、塗布体に関して、その保持位置の確保と回転という複数の動作を一度に行おうとすると、微妙な操作を正確に行うことができず、不注意によりマスカラを目蓋等に付着させてしまうこともある。
【０００４】
そのため、上記液体化粧料塗布容器に具える塗布体を電動で回転させてなるものが提案されている。即ち、電動で塗布体を回転させることで、塗布体の回転にムラが生ぜず、マスカラを均一に塗布することができると共に、使用者は塗布体の保持位置の確保に集中できるため、目蓋等にマスカラを不注意で付着させてしまうことを防止できるものとなる。
【０００５】
しかしながら、上記塗布体を電動で回転させるためには、回転機構内に電池やモーター等が必要となって、重量が増大することから、手で塗布体を含めた蓋体を保持する使用者にとっては著しい負担になる。更に、電動で塗布体を回転させることは、手動よりも遥かに高速となることから、マスカラが遠心力で飛散して他所を汚損することがある上、モーターの駆動で一律の速度で回転するため、塗布体を微妙に回転させることでマスカラの塗布量を調節するような使用は困難となっている。更に、化粧方法によっては塗布体を正反転させることが必要となる場合があり、そのためには塗布体の回転方向を制御する機構等を新設する必要があり、さらなる重量の増加や構造の複雑化を招来する。
【特許文献１】特開平２００５−９５５３１
【発明の開示】
【発明が解決しようとする課題】
【０００６】
解決しようとする問題点は、液体化粧料塗布容器の蓋体に具えられる塗布体を、軽量且つ簡単な構造であって、任意の方向に任意の速度及び量で回転自在とすることにより、目的に応じて液体化粧料を必要な量だけ正確に塗布できるようにすることである。
【課題を解決するための手段】
【０００７】
そのために、マスカラなどの液体化粧料を貯留する塗布容器本体と、該塗布容器本体に対して着脱自在に装着されるとともに、内装する運動変換機構を介して先端に塗布体を具える保持棒を固持する蓋体よりなり、
蓋体に内装する該運動変換機構は、蓋体側面において蓋体より突出するとともに、該蓋体の軸方向に摺動自在となる釦部と、前記保持棒を一体に固持してなる回転機構とからなり、、蓋体側面において蓋体より突出するとともに、該蓋体の軸方向に摺動自在となる釦部と、前記保持棒を一体に固持してなる回転機構とからなり、
該釦部の蓋体軸方向への摺動運動を、回転機構の、その固持する保持棒の軸を中心とする回転運動に変換するとともに、その釦部の摺動方向並びに速度及び量と回転機構の回転運動方向並びに速度及び量とが対応関係を有してなることを特徴とするものである。
【０００８】
これにより、液体化粧料塗布容器において具える塗布体を、蓋体側面より突出する釦部の摺動方向並びに摺動速度及び距離に応じて、回転機構の回転方向並びに速度及び回転量をも変化させる運動変換機構により回転自在としてなるものである。
【０００９】
該運動変換機構の具体的な構成として、回転筒と摺動筒から構成される回転機構並びに前記釦部よりなり、該回転筒は蓋体内において蓋体の軸方向に回転自在に保持されるとともに、先端に塗布体を具える保持棒を固持しながら、その側面に巻回するように螺旋溝を刻設してなり、摺動筒は釦部と一体となって蓋体の軸方向に摺動自在となるとともに、その内周面に蓋体の内径方向に突設する単数又は複数の突起体を有してなり、
該蓋体内において、回転筒を摺動筒内に挿嵌するとともに、該回転筒の側面の螺旋溝に対して、摺動筒内周面の突起体を遊嵌してなることを特徴とするものである。
【００１０】
そのため、回転筒の側面に巻回するように刻設された螺旋溝が、塗布体側に向かって（本明細書においては、保持棒の先端に具える塗布体側を「前方」とする。）左巻きの場合、次のようにして塗布体を回転させることになるものである。
即ち、釦部を塗布体と反対側に向かって（本明細書においては、保持棒の先端に具える塗布体と反対する側を「後方」とする。）摺動させると、該釦部と一体となる摺動筒は、該摺動筒の内周面に突設する突起体も含めて後方に摺動しようとするため、該摺動筒の突起体は遊嵌する回転筒の側面の螺旋溝を後方へ押勢する。
ところが、該回転筒は、蓋体内においてその軸方向に回転自在に保持されているだけで、蓋体内で前後方向へ摺動することはできないものであり、またその側面に刻設された螺旋溝は、前方に向かって左巻きとなっている。
従って、後方へ向かおうとする突起体による該螺旋溝に対する押勢に対して、回転筒は螺旋溝に沿ってその力を逃がすように、釦部の摺動距離に応じて、後方側より見て左回転することになる。
その結果、塗布体は、該回転筒に固持される保持棒とともに、釦部の摺動速度及び距離に応じて後方側より見て左回転することになる。
【００１１】
一方、釦部を前方へ摺動させると、該釦部と一体となる摺動筒は、該摺動筒の内周面に突設する突起体も含めて前方に摺動しようとするため、該摺動筒の突起体は遊嵌する回転筒の側面の螺旋溝を前方へ押勢する。
ところが、該回転筒は、上述のように、蓋体内においてその軸方向に回転自在に保持されているだけで、蓋体内で前後方向へ摺動することはできないものであり、またその側面に刻設された螺旋溝は、前方に向かって左巻きとなっている。
従って、前方へ向かおうとする突起体による該螺旋溝に対する押勢に対して、回転筒は螺旋溝に沿ってその力を逃がすように、釦部の摺動距離に応じて、後方側より見て右回転することになる。
その結果、塗布体は、該回転筒に固持される保持棒とともに、釦部の摺動速度及び距離に応じて後方側より見て右回転することになる。
【００１２】
ところで、回転筒の側面に刻設する螺旋溝が、前方に向かって右巻きの場合は、摺動筒の摺動に伴う、摺動筒内周面の突起体による螺旋溝に対する押勢によって生ずる回転筒の回転が逆になるため、釦部の摺動方向と塗布体の回転方向とは、上述した左巻きの場合とは全く逆となるものである。
【００１３】
なお、回転筒の側面に刻設される螺旋溝において、蓋体の軸に沿っての単位長さ当たりの巻数を変化させることで、釦部の摺動距離に応じての塗布体の回転数を変化させることできる。即ち、釦部の摺動距離が一定であるとした場合、回転筒の螺旋溝の単位長さ当たりの巻数を増加させると、操作は重くなるが塗布体の回転数は増加し、また単位長さ当たりの巻数を減少させると、操作は軽くなるが塗布体の回転数は減少するものとなる。
【００１４】
更に、第２の該運動変換機構の具体的な構成としては、それぞれ互いに噛合する、前方側に配置される一対のベベルギア、中間に配置されるピニオンギア、及び後方側に配置され蓋体の軸方向に摺動自在となるラックギアから構成される回転機構並びに前記釦部よりなり、
一対のベベルギアの内、最前側のベベルギアは先端に塗布体を具える保持棒に軸着され、又、ラックギアは釦部と一体となり、
釦部の蓋体軸方向への摺動に伴うラックギアの摺動は、それと噛合するピニオンギアに伝達されてビニオンギアを回転させ、該ピニオンギアの回転は一対のベベルギアを介することによってその回転軸を９０度回転させて前記保持棒を回転させることを特徴とするものである。
【００１５】
そのため、釦部を蓋体の軸に沿って摺動させると、この釦部と一体となるラックギアも釦部の摺動距離に応じて同方向に摺動する。
該ラックギアは、噛合するピニオンギアに対して運動を伝達して回転させ、該回転は前方側に配置される一対のベベルギアに伝達される。
そして、前方側に配置され、互いに噛合する一対のベベルギアによってその回転軸を９０度回転させることとなるので、釦部の摺動運動は、塗布体を具える保持棒を中心とする回転運動に変換されることとなる。
その結果、塗布体は保持棒とともに、釦部の摺動速度及び距離に応じて保持棒を中心として回転することになる。
【００１６】
ところで、釦部の摺動方向と塗布体の回転方向との関係においては、ピニオンギアの配列個数が関係している。即ち、一対のベベルギアの噛合によって、回転軸の方向が変換されるだけでなく回転方向も反転するが、それ以前に該ベベルギアへ回転を伝達するピニオンギアの個数によって、該ベベルギアへ伝達される回転の回転方向を適宜選択できるものである。
【００１７】
なお、該回転機構は、釦部の摺動による力をラックギア、ピニオンギア及び一対のベベルギア等の複数のギアにより、塗布体を具える保持棒の回転に変換するものであるので、ギア比を変化させることで、塗布体の回転数や釦部の操作力を変化させることができる。即ち、釦部摺動距離を一定とした場合、上記各ギアにおける増速比を大きくすれば、釦部の操作は重くなるが、塗布体の回転数は増加するものとなり、逆に増速比を小さくすれば、釦部の操作は軽くなるが、塗布体の回転数は減少するものとなる。
【００１８】
第３の特徴として、上記特徴を踏まえた上で、塗布体を、フロッキーチップあるいは溝体又は溝体と櫛の複合体としてなることを特徴とするものである。
【００１９】
そのため、例えばマスカラであれば、その目的に応じてマスカラの塗布状態を変化させることができる。即ち、塗布体をフロッキーチップとすれば、睫毛に対してマスカラを均一にしかも薄く延ばすように塗布することができるし、更にはアイシャドーとして瞼に塗布すること可能となる。また、塗布体を溝体とすれば、溝内に溜まるマスカラにより一本一本の睫毛を太くするようにマスカラをより多く満遍なく塗布できるものとなる。そして、更に塗布体を溝体と櫛体の複合体とすれば、一本一本の睫毛を太くするようにマスカラをより多く正確に塗布するとともに、マスカラを塗布した睫毛の方向をも整えることができる。
【発明の効果】
【００２０】
本願発明は、例えば液体化粧料がマスカラであれば、塗布体を任意の方向に、しかも任意の速度且つ回転量だけ回転自在として、睫毛に対してマスカラを目的に応じて必要な量だけ正確に塗布することができるので、使用者の希望に応じた多様な化粧方法を正確に実現することができるという優れた効果を有する。
【実施例１】
【００２１】
図１において示される１は、本願発明の実施例１である液体化粧料塗布容器であって、該液体化粧料塗布容器１は、開口部３を有し、その内部にマスカラなどの液体化粧料４を貯留すると共に、後述する塗布体８や保持棒９の表面に付着した過剰な液体化粧料４を掻き落とすためのしごき５を内装する塗布容器本体２と、該塗布容器本体２の開口部３に周設される雄ネジ６と螺合する雌ネジ１０を有するとともに、先端に例えばスクリューブラシによる塗布体８を具える保持棒９をガタなどが生じないようにＯリング２３と共に一体に固持してなる回転機構１２を内装する蓋体７、並びに蓋体７表面に軸方向に設けられた案内溝１１から突出する釦部１８とからなるものである（図２参照）。
なお、該塗布体８の形状としては、使用者の希望する化粧方法に応じて液体化粧料４の塗布状態を変化させることができるように、フロッキーチップ（８）〔図４（イ）参照〕、溝体（８ａ）〔図４（ロ）参照〕又は溝体と櫛体の複合体（８ｂ）〔図４（ハ）参照〕とすることも可能である。
【００２２】
ここで、上記蓋体７に内装される回転機構１２は、蓋体７内において蓋体の軸方向に回転自在に保持されると共に、先端に塗布体８を具える保持棒９を固持しながら、その側面全体に渡り巻回するように、前方に向かって左巻きとなる螺旋溝１４を刻設してなる回転筒１３と、その内周面１６に内径方向に突設する２個の突起体１７を有する摺動筒１５とからなり、回転筒１３は摺動筒１５に挿嵌されるとともに、摺動筒１５の内周面１６に内径方向に突出して設けられた２個の突起体１７が、それぞれ回転筒１３の螺旋溝１４に遊嵌される。一方、摺動筒１５の外周には係合溝１５ａが設けられ、該係合溝１５ａに、釦部１８の内側面に設けられた係合部１８ａが係合することによって、釦部１８に対する摺動操作に応じて、摺動筒１５も蓋体７内を蓋体７の軸方向に摺動することとなる。
【００２３】
実施例１における液体化粧料塗布容器１は以上の構成を具えるので、使用者が液体化粧料４であるマスカラを睫毛に塗布するにあたっては次のようにする。
まず使用者が、液体化粧料塗布容器１の蓋体７と塗布容器本体２における雄ねじ６と雌ねじ１０との螺合を解くことにより、内部に液体化粧料４であるマスカラを貯留する塗布容器本体２から蓋体７を引き抜くことができるようになる。その際、蓋体７に固持される保持棒９及び該保持棒９先端に具えられる塗布体８に過剰な液体化粧料４が付着していても、塗布容器本体２内に内装されるしごき５により過剰な液体化粧料４は除去されるものとなる。
【００２４】
そして、上記塗布容器本体２内から蓋体７を引き抜いた後、蓋体７の案内溝１１より蓋体７の表面に突出している釦部１８を、案内溝１１の前方側（すなわち塗布体８側）に位置せしめた上、蓋体７に固持される保持棒９先端に設けられた塗布体８を、睫毛に付着させるとともに、根元から毛先方向に向けて払うよう動かすと同時に、蓋体７の釦部１８を案内溝１１に沿って後方に摺動させる。
これにより、係合部１８ａと係合溝１５ａとの係合によって該釦部１８と一体となる摺動筒１５は、該摺動筒１５の内周面１６に突設する突起体１７も含めて後方に摺動するので、該突起体１７は、遊嵌する回転筒１３の側面１３’に設けられた旋溝１４を後方へ押勢することとなる。
ところで、該回転筒１３は、前後方向に摺動することはできず、蓋体７内においてその軸方向に回転自在に保持されているだけである上、該螺旋溝１４は前方に向かって左巻きとなっている。
そのため、後方へ向かう突起体１７による該螺旋溝１４に対する押勢に対して、回転筒１３は該螺旋溝１４に沿ってその力を逃がすように、釦部１８の摺動速度及び距離に応じて、後方側より見て左回転することになる。
その結果、釦部１８の摺動運動は保持棒９の回転運動に変換され、塗布体８は、上記回転機構１２により、釦部１８の摺動速度及び距離に応じて後方側より見て左回転することとなる。
以上より、使用者は、塗布体８を任意の速度で任意の回転量だけ回転させることができるので、睫毛に対して液体化粧料４を目的に応じて必要なだけ正確に塗布することができる。
【００２５】
一方、塗布体８を逆回転、すなわち後方側より見て右回転させるには、上記とは逆に釦部１８を前方へ向かって摺動させればよい。
すなわち、上記塗布容器本体２内から蓋体７を引き抜いた後、蓋体７の案内溝１１より蓋体７の表面に突出している釦部１８を、案内溝１１の後方側（すなわち塗布体８と反対側）に位置せしめた上、蓋体７に固持される保持棒９先端に設けられた塗布体８を、睫毛に付着させるとともに、根元から毛先方向に向けて払うよう動かすと同時に、蓋体７の釦部１８を案内溝１１に沿って前方に摺動させると、回転筒１３は、螺旋溝１４に沿ってその力を逃がすように、釦部１８の摺動速度及び距離に応じて後方側より見て右回転することになる。
その結果、前記とは逆に、塗布体８は、上記回転機構１２により、釦部１８の摺動速度及び距離に応じて後方側より見て右回転することとなる。
以上より、前記同様に使用者は、塗布体８を任意の速度で任意回転量だけ回転させることができるので、睫毛に対して液体化粧料４を目的に応じて必要なだけ正確に塗布することができる。
なお、液体化粧料４の塗布中あるいは塗布後において、釦部１８が前方又は後方へ摺動していても、元の位置に戻すそうとすれば、その際回転機構１２は逆に作動し、釦部１８は元の位置に復帰するものであって、塗布中に必要に応じて釦部１８を前後に摺動させれば、塗布体８の左右両回転方向への回転も可能となる。
また、使用開始前に塗布容器本体２内と蓋体７を取り付けたまま釦部１８を前後に往復させることにより液体化粧料４を撹拌しうるから、塗布体８に均一に含ませることができる。
【００２６】
ここで、摺動筒１５の内周面１６に設けられる内径方向に突設する突起体１７は２個となっているが、もっと多数でもあるいは単数でも構わないものである。又は螺旋溝１４に螺合する雄ねじを形成してもよい。即ち、突起体１７は回転筒１３の螺旋溝１４に遊嵌することによって、釦部１８の前後方向への摺動を回転筒１３へ伝達するものであることから、その動きが正確に伝達されれば足りるものである。
【実施例２】
【００２７】
図５及び図６に示す、本願発明の実施例２の液体化粧料塗布容器１’は、塗布容器本体２’における開口部３’、しごき５’及び雄ねじ６’や蓋体７’における雌ねじ１０’、Ｏリング２３’等の基本的構造及び塗布体８’の構造（図４参照）は上記実施例１に示す液体化粧料塗布容器１に準じているものである。しかしながら、蓋体７’内に内装されるカバー体２４に組み込まれる回転機構１９は、実施例１の回転機構１２とは相違するものである。なお、該回転機構１９を組み込むカバー体２４においては、後述するラックギア２２が前後方向に摺動自在となる様組み込まれ、ギア部２０をなす複数のピニオンギア２０ａ、２０ａ’、２０ｂ、２０ｃ、２０ｄ’及びベベルギア２０ｄが受けカバー２４ｂに回転自在に軸着され、又、保持棒９’と一体となった心棒９’ａに軸着されるベベルギア２１が回転自在に組み込まれている。更に、該カバー体２４は、上カバー２４ａと受けカバー２４ｂとからなり、上カバー２４ａには、保持棒９’と一体となった前記心棒９’ａが貫通する貫通孔２５ａ、２５ｂが前後２ヶ所設けられている。保持棒９’はこの２ヶ所の貫通孔２５ａ、２５ｂを貫通する心棒９’ａによって、蓋体７’に対して常に一直線となるよう保持されることとなる。
【００２８】
実施例２における回転機構１９は、図７に示すように、ラックギア２２とギア部２０（ピニオンギア２０ａ’、２０ａ、２０ｂ、２０ｃ、２０ｄ’及びベベルギア２０ｄ）及び 保持棒９’の心棒９’ａに軸着されるベベルギア２１からなり、該ラックギア２２は、蓋体７’の表面の案内溝１１’より外部に突出して、前後方向に摺動自在となる釦部１８’と一体となっている。
【００２９】
そして、該ギア部２０において、４個のピニオンギア２０ａ、２０ｂ、２０ｃ、２０ｄ’は、それぞれカバー体２４に対して蓋体７’の軸に直交する方向に軸着されるとともに、順に前方へ向かって相互に噛合して設けられ、又、最後方に位置するピニオンギア２０ａには、同軸上に径小のピニオンギア２０ａ’が軸着されて、該ピニオンギア２０ａ’がラックギア２２と噛合している。又、最前方に位置するピニオンギア２０ｄ’には同軸上にベベルギア２０ｄが軸着され、該ベベルギア２０ｄに対して一対となって噛合するもう一つのベベルギア２１が、保持棒９’の心棒９’ａに軸着されている。
これらのギアの噛合によって、釦部１８’の前後方向への摺動、すなわちそれと一体となるラックギア２２の前後方向への摺動により、該ラックギア２２と噛合するピニオンギア２０ａ’から順に回転力がベベルギア２０ｄへ伝達され、更に該ベベルギア２０ｄと噛合する他方のベベルギア２１の回転によって、該ベベルギア２１が軸着する心棒９’ａが回転して、保持棒９’が回転するものとなる。
このように、ギア部２０を含む各ギアによって、釦部１８’の摺動運動を保持棒９’の回転運動に変換しているので、ピニオンギアの個数によって摺動方向と回転方向との関係を、又、各ギアのギア比を調節することによって増速比を、それぞれ調整することができる。
【００３０】
実施例２における液体化粧料塗布容器１’は以上の構成を具えるので、使用者が液体化粧料４’であるマスカラを睫毛に塗布するにあたっては次のようにする。
まず使用者が、液体化粧料塗布容器１’の蓋体７’と塗布容器本体２’における雄ねじ６’と雌ねじ１０’との螺合を解くことにより、内部に液体化粧料４’であるマスカラを貯留する塗布容器本体２’から蓋体７’を引き抜くことができるようになる。その際、蓋体７’に固持される保持棒９’及び該保持棒９’先端に具えられる塗布体８’に過剰な液体化粧料４’が付着していても、塗布容器本体２’内に内装されるしごき５’により過剰な液体化粧料４’は除去されるものとなる。
【００３１】
そして、上記塗布容器本体２’内から蓋体７’を引き抜いた後、蓋体７’の案内溝１１’より蓋体７’の表面に突出している釦部１８’を、案内溝１１’の前方側（すなわち塗布体８’側）に位置せしめ、蓋体７’に固持される保持棒９’先端に設けられた塗布体８’を、睫毛に付着させるとともに、根元から毛先方向に向けて払うよう動かすと同時に、蓋体７’の釦部１８’を案内溝１１’に沿って後方に摺動させる。
これにより、該釦部１８’と一体となるラックギア２２は、釦部１８’の摺動速度及び距離に応じて同方向に摺動する。
該ラックギア２２は、ギア部２０の最後方に配置されるピニオンギア２０ａ’に対して噛合しているので、該ピニオンギア２０ａ’を上カバー２４ａ側から見て右回転（以下、回転方向は特に断らない限り全て上カバー２４ａ側から見たものである。）させる。これにより、同軸にあるピニオンギア２０ａが右回転し、順に各ピニオンギアが反転しながら回転を伝達して、最前方のピニオンギア２０ｄ’が左回転する。そして、該ピニオンギア２０ｄ’と同軸のベベルギア２０ｄが左回転することにより、該ベベルギア２０ｄと一対となって噛合する、保持棒９’の心棒９’ａに軸着したベベルギア２１が、その回転の軸方向を９０度転換させた上、該ベベルギア２１自体は後方側より見て右回転して、保持棒９’先端に設けられた塗布体８’も後方側より見て右回転することとなる。
その結果、釦部１８’の摺動運動は保持棒９’の回転運動に変換され、塗布体８’は、上記回転機構１９により、釦部１８’の摺動速度及び距離に応じて後方側より見て右回転することとなる。
以上より、使用者は、塗布体８’を任意の速度で任意の回転量だけ右回転させることができるので、睫毛に対して液体化粧料４’であるマスカラを目的に応じて必要なだけ正確に塗布することができる。
【００３２】
一方、塗布体８’を逆に後方側より見て左回転させる必要がある場合には、蓋体７’から突出する釦部１８’を、逆に後方から前方へ摺動させれば、ギア部２０の各ギア２０ａ’、２０ａ、２０ｂ、２０ｃ、２０ｄ’、２０ｄが逆回転し、最終的に保持棒９’の心棒９’ａに軸着したベベルギア２１が後方側より見て左回転することから、塗布体８’は保持棒９’とともに、釦部１８’の摺動速度及び距離に応じて後方側より見て左回転することとなる。
以上より、使用者は、塗布体８’を任意の速度で任意の回転量だけ左右回転させることができるので、睫毛に対して液体化粧料４’であるマスカラを目的に応じて必要なだけ正確に塗布することができるとともに、必要に応じて塗布体８’を反対方向に回転させることができることとなる。
【００３３】
例えば、実施例２の液体化粧料塗布容器１’に用いられる回転機構１９において、増速比を２．１８とし、釦部１８’のストローク長を前後１０ｍｍとすると、保持棒９’の回転数は１０／３．３π〔ピニオンギア（２０ａ’）の円周長〕×２．１８＝２．１（回転）となる。即ち、釦部１８’の前方又は後方へ向かう摺動１回について、先端に塗布体８’を具える保持棒９’は左又は右に２．１回転することとなる。
【産業上の利用可能性】
【００３４】
マスカラ等の液状化粧料を塗布するにあたって、塗布体を任意の方向並びに回転速度及び量で回転自在とすることにより、目的及び必要な量に応じて正確に塗布することができるので、微妙な操作を必要とするあらゆる液体化粧料を塗布する塗布体を具える液体化粧料塗布容器に適用することができる。
【図面の簡単な説明】
【００３５】
【図１】本願発明の実施例１及び２の液体化粧料塗布容器の正面図である。
【図２】本願発明の実施例１の液体化粧料塗布容器の部分縦断面図である。
【図３】本願発明の実施例１の摺動筒の（イ）斜視図、（ロ）縦断面図及び（ロ）横断面図である。
【図４】本願発明の塗布体の種類を示す図であり、（イ）はフロッキーチップ、（ロ）は溝体及び（ハ）は溝体と櫛との複合体である。
【図５】本願発明の実施例２の液体化粧料塗布容器の部分縦断面図である。
【図６】本願発明の実施例２の液体化粧料塗布容器の部分横断面図である。
【図７】本願発明の実施例２の液体化粧料塗布容器の回転機構の拡大斜視図である。
【符号の説明】
【００３６】
１、１’    液体化粧料塗布容器    
２、２’    塗布容器本体
３、３’    開口部
４、４’    液体化粧料
５、５’    しごき
６、６’    雄ねじ
７、７’    蓋体
８、８’    塗布体（スクリューブラシ）
８ａ、８’ａ    塗布体（溝体）
８ｂ、８’ｂ    塗布体（溝体と櫛体の複合体）
９、９’    保持棒
９’ａ      心棒
１０、１０’    雌ねじ
１１、１１’    案内溝
１２    回転機構
１３    回転筒
１３’    側面
１４    螺旋溝
１５    摺動筒
１５ａ    係合溝
１６    内周面
１７    突起体
１８、１８’    釦部
１８ａ    係合部
１９    回転機構
２０    ギア部
２０ａ、２０ａ’、２０ｂ、２０ｃ、２０ｄ’    ピニオンギア
２０ｄ    ベベルギア
２１    ベベルギア
２２    ラックギア
２３、２３’    Ｏリング
２４    カバー体
２４ａ    上カバー
２４ｂ    受けカバー
２５ａ、２５ｂ    貫通孔
【図１】
2008043526.tif 000003
【図２】
2008043526.tif 000004
【図３】
2008043526.tif 000005
【図４】
2008043526.tif 000006
【図５】
2008043526.tif 000007
【図６】
2008043526.tif 000008
【図７】
2008043526.tif 000009